(57)【要約】【課題】箱尺を用いた測量の安全性確保および測定誤差低減を図ることができる箱尺用ミラー・巻尺取付ボックスを提供する。【解決手段】箱尺用ミラー・巻尺取付ボックス１０は、箱尺１の上端部を挿入するための箱尺挿入孔１１ａが底面に形成されるとともに巻尺３の補強部材３ａを前面から裏面まで通すための巻尺通し溝１１ｂが上面に形成された直方体形状の本体１１と、本体１１の裏面に取り付けられた、かつ、補強部材３ａが本体１１の巻尺通し溝１１ｂを通された巻尺３を取り付けるための巻尺取付手段として機能する巻尺取付部材１２と、本体１１の前面に取り付けられた、かつ、ミラー２を取付角度調整可能に本体１１に取り付けるためのミラー取付部材１３とを具備する。【選択図】図１
2012163385.tif 000002
【特許請求の範囲】
【請求項１】
測量用の箱尺（１）に測距儀用のミラー（２）および距離測定用の巻尺（３）を取り付けるための箱尺用ミラー・巻尺取付ボックス（１０）であって、
前記箱尺の上端部を挿入するための箱尺挿入孔（１１ａ）が底面に形成されるとともに前記巻尺の補強部材（３ａ）を前面から裏面まで通すための巻尺通し溝（１１ｂ）が上面に形成された直方体形状の本体（１１）と、
該本体の裏面に取り付けられた、かつ、前記補強部材が前記本体の前記巻尺通し溝を通された前記巻尺を取り付けるための巻尺取付手段（１２；２１）と、
前記本体の前面に取り付けられた、かつ、前記ミラーを取付角度調整可能に該本体に取り付けるためのミラー取付手段（１３）と、
を具備することを特徴とする、箱尺用ミラー・巻尺取付ボックス。
【請求項２】
前記巻尺取付手段が、Ｌ型形状の巻尺取付部材（１２）であり、
該巻尺取付部材が、底板と、該底板の裏面側の上面に該底板と一体的に設けられた側板とからなり、
前記巻尺取付部材の前記底板の前面が、前記本体の裏面に固定されており、
前記巻尺取付部材の前記側板の上面に、複数個の他の巻尺通し溝（１２ｂ）が該巻尺取付部材の長手方向に沿って形成されている、
ことを特徴とする、請求項１記載の箱尺用ミラー・巻尺取付ボックス。
【請求項３】
前記巻尺取付手段が、クリップ（２１）であることを特徴とする、請求項１記載の箱尺用ミラー・巻尺取付ボックス。
【請求項４】
前記本体の前記箱尺挿入孔に挿入された前記箱尺の上端部を該本体の側面側、前面側および裏面側からネジ込み固定するための第１乃至第３の固定ネジ（１４1〜１４3）をさらに具備し、
前記本体の側面、前面および裏面に前記第１乃至第３の固定ネジと螺合するネジ溝がそれぞれ形成されている、
ことを特徴とする、請求項１乃至３いずれかに記載の箱尺用ミラー・巻尺取付ボックス。
【発明の詳細な説明】
【技術分野】
【０００１】
本発明は、測量用の箱尺に測距儀用のミラーおよび距離測定用の巻尺を取り付けるのに好適な箱尺用ミラー・巻尺取付ボックスに関する。
【背景技術】
【０００２】
従来、簡易な鉄塔敷地平面・縦断図を作成するときの現地での測量は、箱尺側作業員が箱尺（スタッフ）を地面に対して鉛直にかつ測量側作業員（測定者）に正対して立てるとともに距離測定用の巻尺のゼロ合せをし、測量側作業員がスコープで箱尺の目盛を読み取って高低測量を行うとともに巻尺を引っ張って距離測定を行っている。
【０００３】
なお、下記の特許文献１には、箱尺にコの字形の取付台をネジで固定するとともに、ミラーを取り付けるアームをこの取付台にネジで固定するようにした、横断測量用の測距儀用ミラー台が開示されている。
【０００４】
また、本出願人は、下記の特許文献２において、作業者の労力を軽減しつつ箱尺の水平状態を維持することを可能にするために、箱尺に取り付けるための保持具本体と、箱尺の長さ方向の軸に対する角度を変更可能な状態において保持具本体に放射状に吊り下げられている複数の支持脚とを有し、少なくとも３本の支持脚によって箱尺の水平状態を確保した状態において箱尺を支持するようにした箱尺保持具を提案している。
【先行技術文献】
【特許文献】
【０００５】
【特許文献１】実開平６−１２９１１号公報
【特許文献２】特開２００８−１７５５３５号公報
【発明の概要】
【発明が解決しようとする課題】
【０００６】
しかしながら、箱尺側作業員は箱尺および巻尺の両方を管理して測量作業を行っているが、急斜面での測量作業のように箱尺側作業員が不安定な体勢にある場合には、巻尺が測量側作業員によって引っ張られるために安全性が確保されなかったり、箱尺を地面に対して鉛直にかつ測量側作業員に正対して立てることができずに測定誤差が生じたりするという問題があった。
【０００７】
本発明の目的は、箱尺を用いた測量の安全性確保および測定誤差低減を図ることができる箱尺用ミラー・巻尺取付ボックスを提供することにある。
【課題を解決するための手段】
【０００８】
本発明の箱尺用のミラー・巻尺取付ボックスは、測量用の箱尺（１）に測距儀用のミラー（２）および距離測定用の巻尺（３）を取り付けるための箱尺用ミラー・巻尺取付ボックス（１０）であって、前記箱尺の上端部を挿入するための箱尺挿入孔（１１ａ）が底面に形成されるとともに前記巻尺の補強部材（３ａ）を前面から裏面まで通すための巻尺通し溝（１１ｂ）が上面に形成された直方体形状の本体（１１）と、該本体の裏面に取り付けられた、かつ、前記補強部材が前記本体の前記巻尺通し溝を通された前記巻尺を取り付けるための巻尺取付手段（１２；２１）と、前記本体の前面に取り付けられた、かつ、前記ミラーを取付角度調整可能に該本体に取り付けるためのミラー取付手段（１３）とを具備することを特徴とする。
ここで、前記巻尺取付手段が、Ｌ型形状の巻尺取付部材（１２）であり、該巻尺取付部材が、底板と、該底板の裏面側の上面に該底板と一体的に設けられた側板とからなり、前記巻尺取付部材の前記底板の前面が、前記本体の裏面に固定されており、前記巻尺取付部材の前記側板の上面に、複数個の他の巻尺通し溝（１２ｂ）が該巻尺取付部材の長手方向に沿って形成されていてもよい。
前記巻尺取付手段が、クリップ（２１）であってもよい。
前記本体の前記箱尺挿入孔に挿入された前記箱尺の上端部を該本体の側面側、前面側および裏面側からネジ込み固定するための第１乃至第３の固定ネジ（１４1〜１４3）をさらに具備し、前記本体の側面、前面および裏面に前記第１乃至第３の固定ネジと螺合するネジ溝がそれぞれ形成されていてもよい。
【発明の効果】
【０００９】
本発明の箱尺用ミラー・巻尺取付ボックスは、測量用の箱尺に測距儀用のミラーおよび距離測定用の巻尺を容易に取り付けることができるため、箱尺側作業員が不安定な体勢にある場合でも箱尺を用いた測量の安全性確保および測定誤差低減を図ることができるとともに、測量作業の時間短縮を図ることができるという効果を奏する。
【図面の簡単な説明】
【００１０】
【図１】本発明の一実施例による箱尺用ミラー・巻尺取付ボックス１０の構成を示す図であり、（ａ）は上面図、（ｂ）は正面図、（ｃ）は背面図である。
【図２】図１に示した箱尺用ミラー・巻尺取付ボックス１０の使用方法について説明するための図であり、（ａ）は箱尺１の上端部に箱尺用ミラー・巻尺取付ボックス１０を取り付けた状態を示す正面図であり、（ｂ）は箱尺用ミラー・巻尺取付ボックス１０に巻尺３を取り付けた状態を示す上面図である。
【図３】図２に示した巻尺３に取り付けられている補強部材３ａについて説明するための図である。
【図４】図１に示した巻尺取付部材１２の代わりに用いるクリップ２１を示す図である。
【発明を実施するための形態】
【００１１】
上記の目的を、巻尺の補強部材を本体の前面から裏面まで本体の巻尺通し溝に通したのちに巻尺をゼロ合せするように巻尺取付部材の巻尺通し溝を利用して巻尺取付部材の側板に必要回数だけ巻いて、巻尺を巻尺取付部材に取り付けることにより実現した。
【実施例１】
【００１２】
以下、本発明の箱尺用ミラー・巻尺取付ボックスの実施例について図面を参照して説明する。
本発明の箱尺用ミラー・巻尺取付ボックスは、図３に示すように距離測定用の巻尺３の端部に長さ１０〜１５ｃｍ程度の補強部材３ａが取り付けられていることに着目して、補強部材３ａを利用して巻尺３を箱尺用ミラー・巻尺取付ボックスに取り付けることを特徴とする。
【００１３】
そのため、本発明の一実施例による箱尺用ミラー・巻尺取付ボックス１０は、図１（ａ）〜（ｃ）に示すように、本体１１と、巻尺取付部材１２と、ミラー取付部材１３と、第１乃至第３の固定ネジ１４1〜１４3とを具備する。
【００１４】
ここで、本体１１は、横７ｃｍ程度、縦５ｃｍ程度および奥行き３ｃｍ程度の直方体形状をしている。
本体１１の底面には、箱尺１の上端部を挿入するための箱尺挿入孔１１ａが形成されている（図２（ａ）参照）。
本体１１の上面の図示右側端部には、巻尺３の補強部材３ａを本体１１の前面から裏面まで通すための巻尺通し溝１１ｂが形成されている（図２（ｂ）参照）。
【００１５】
巻尺取付部材１２はＬ型形状（側面から見たときの形状がＬ型）をしている。すなわち、巻尺取付部材１２は、底板と、底板の裏面側の上面に底板と一体的に設けられた側板とからなる。
巻尺取付部材１２の底板の前面は、本体１１の裏面の巻尺通し溝１１ｂよりも左側に固定されており、巻尺取付部材１２の側板の上面には、４個の巻尺通し溝１２ｂが巻尺取付部材１２の長手方向（すなわち、本体１１の長手方向（横方向））に沿って等間隔に形成されている（図１（ａ），（ｃ）および図２（ｂ）参照）。
【００１６】
ミラー取付部材１３は、測距儀用のミラー２の右端部および左端部を取付角度調整可能に（すなわち、地面に対するミラー面の角度を調整可能に）支持して、ミラー２を本体１１に取り付けるためのものである。
【００１７】
第１乃至第３の固定ネジ１４1〜１４3は、本体１１の箱尺挿入孔１１ａに挿入された箱尺１の上端部を本体１１の左側面側、前面側および裏面側からネジ（二枚羽）込み固定するためのものである（図２（ｂ）参照）。
そのため、本体１１の左側面には、第１の固定ネジ１４1と螺合するネジ溝が形成されており、本体１１の前面には、第２の固定ネジ１４2と螺合するネジ溝が形成されており、本体１１の裏面には、第３の固定ネジ１４3と螺合するネジ溝が形成されている。
【００１８】
次に、箱尺用ミラー・巻尺取付ボックス１０の使用方法について、図２（ａ），（ｂ）を参照して説明する。
【００１９】
まず、箱尺側作業員は、箱尺１の上端部を本体１１の箱尺挿入孔１１ａに挿入したのち、第１乃至第３の固定ネジ１４1〜１４3で本体１１の左側面側、前面側および裏面側から箱尺１の上端部をネジ込み固定することによって、図２（ａ）に示すように箱尺用ミラー・巻尺取付ボックス１０を箱尺１に取り付ける。
【００２０】
その後、箱尺側作業員は、巻尺３を縦にして（すなわち、目盛が横方向から見えるようにして）、図２（ｂ）に示すように巻尺３の補強部材３ａを本体１１の前面から裏面に向けて本体１１の巻尺通し溝１１ｂに通したのちに本体１１の右側面から左側面に向けて本体１１の裏面と巻尺取付部材１２の側板との間を通す。続いて、箱尺側作業員は、巻尺３の目盛“０”が本体１１の表面上にくるように（すなわち、巻尺３をゼロ合せするように）、巻尺取付部材１２の巻尺通し溝１２ｂを利用して巻尺３の補強部材３ａを巻尺取付部材１２の側板に必要回数だけ巻いて、巻尺３を巻尺取付部材１２に取り付ける。
なお、図２（ｂ）は、巻尺取付部材１２の左端の巻尺通し溝１２ｂを利用して巻尺３の補強部材３ａを巻尺取付部材１２の側板に１回だけ巻いた状態を示す。
【００２１】
その後、箱尺側作業員は、箱尺１を地面に対して鉛直に立てたのち、ミラー２の取付角度調整を行う。
【００２２】
以上の説明では、巻尺３を巻尺取付部材１２に取り付けたが、巻尺取付部材１２の代わりに図４に示すようなクリップ２１を本体１１の裏面に取り付けて、巻尺３の補強部材３ａを本体１１の前面から裏面に向けて本体１１の巻尺通し溝１１ｂに通したのち、巻尺３の目盛“０”が本体１１の表面上にくるように巻尺３の補強部材３ａをクリップ２１で挟んで、巻尺３を巻尺取付部材１２に取り付けてもよい。
【符号の説明】
【００２３】
１  箱尺
２  ミラー
３  巻尺
３ａ  補強部材
１０  箱尺用ミラー・巻尺取付ボックス
１１  本体
１１ａ  箱尺挿入孔
１１ｂ  巻尺通し溝
１２  巻尺取付部材
１２ｂ  巻尺通し溝
１３  ミラー取付部材
１４1〜１４3  第１乃至第３の固定ネジ
２１  クリップ
【図１】
2012163385.tif 000003
【図２】
2012163385.tif 000004
【図３】
2012163385.tif 000005
【図４】
2012163385.tif 000006